(57)【要約】【課題】短肌着とオーバーパンツを一体化させ、取り扱いの手間が省け、狭い保管スペースであっても効率良く保管できるようにする。【解決手段】後身頃２と、この後身頃２の右側に繋がる下前身頃３と、この後身頃２の左側に繋がる上前身頃４と、左右の両袖部分５とで構成した短肌着部の前記後身頃２の下端に繋がって股下部分６を備えた。【選択図】        図２
2004256976.tif 000002
【特許請求の範囲】
【請求項１】
後身頃と、この後身頃の右側に繋がる下前身頃と、この後身頃の左側に繋がる上前身頃と、左右の両袖部分とで構成した短肌着部の前記後身頃の下端に繋がって股下部分を備えていることを特徴とするベビー用肌着。
【請求項２】
下前身頃の先端部と左側の脇内側部とに互いに結ばれる結び紐を設けるとともに、上前身頃の先端部と右側の脇外側部とに互いに結ばれる結び紐を設け、前記後身頃と下前身頃ならびに上前身頃との繋がり部にそれぞれフラップが縫い付けられ、この各フラップの先端部に一方の支持体が設けられ、前記股下部分の外面に前記一方の支持体と係脱自在な他方の支持体が設けられていることを特徴とする請求項１記載のベビー用肌着。
【請求項３】
各フラップの一方の支持体は先端部内面の表面上に無数の鉤部を備え、股下部分の支持体は先端部外面に表面上に無数のループ部を備え、両支持体で係脱自在の面ファスナーを構成したことを特徴とする請求項２記載のベビー用肌着。
【発明の詳細な説明】
【０００１】
【発明の属する技術分野】
本発明はベビー用肌着に関するものである。
【０００２】
【従来の技術】
従来、おしめを必要とする乳児用の肌着としてはおしめの上から履かせるオーバーパンツ（ブルマ）とその上の短肌着は別々に切り離されており、短肌着とオーバーパンツを別々に着せているのが現状である。つまり、乳児用のために例えば特許文献１に開示されているような短肌着とオーバーパンツをそれぞれ用意する必要があり、枚数が多くなればなるほど嵩張り、箪笥や衣類ケースに占める保管スペースが広くなり、問題があった。
【０００３】
【特許文献１】
実開平１−１４１７０３号
【０００４】
【発明が解決しようとする課題】
本発明はこのような課題を解決するもので、短肌着とオーバーパンツを一体化させ、取り扱いの手間が省け、狭い保管スペースであっても効率良く保管できるようにすることを目的とするものである。
【０００５】
【課題を解決するための手段】
この課題を解決するために本発明は、後身頃と、この後身頃の右側に繋がる下前身頃と、この後身頃の左側に繋がる上前身頃と、左右の両袖部分とで構成した短肌着部の前記後身頃の下端に繋がって股下部分を備えていることを要旨とするものである。また本発明は、下前身頃の先端部と左側の脇内側部とに互いに結ばれる結び紐を設けるとともに、上前身頃の先端部と右側の脇外側部とに互いに結ばれる結び紐を設け、前記後身頃と下前身頃ならびに上前身頃との繋がり部にそれぞれフラップが縫い付けられ、この各フラップの先端部に一方の支持体が設けられ、前記股下部分の外面に前記一方の支持体と係脱自在な他方の支持体が設けられていることを要旨とするものである。さらに本発明は、各フラップの一方の支持体は先端部内面の表面上に無数の鉤部を備え、股下部分の支持体は先端部外面に表面上に無数のループ部を備え、両支持体で係脱自在の面ファスナーを構成したことを要旨とするものである。
【０００６】
この構成により、後身頃と、この後身頃の右側に繋がる下前身頃と、同じくこの後身頃の左側に繋がる上前身頃と、左右の両袖部分とで構成した短肌着部の後身頃の下端に繋がって股下部分を備えていることにより、短肌着とオーバーパンツが一体化したベビー用肌着を提供することができ、短肌着とオーバーパンツをそれぞれ用意していた場合に比べて取り扱いの手間が省け、狭い保管スペースであっても効率良く保管できるようになる。
【０００７】
【発明の実施の形態】
以下、本発明の一実施の形態について、図面に基づいて説明する。
図１〜図４において、１は本発明の一実施の形態にかかるベビー用肌着で、後身頃２と、この後身頃２の右側に繋がる下前身頃３と、同じくこの後身頃２の左側に繋がる上前身頃４と、左右の両袖部分５とで短肌着部を構成し、前記後身頃２の下端に繋がって股下部分６を備えている。さらに詳しくは、前記下前身頃３の先端部と左側の脇内側部とに互いに結ばれる結び紐７，８の一端が縫い付けられ、また前記上前身頃４の先端部と右側の脇外側部とに互いに結ばれる結び紐９，１０の一端が縫い付けられている。さらに、前記後身頃２と下前身頃３ならびに上前身頃４との繋がり部にフラップ１１，１１の基部が縫い付けられており、このフラップ１１，１１の先端部内面に表面上に無数の鉤部を備えた支持体１２が接合され、前記股下部分６の先端部外面に表面上に無数のループ部を備えた支持体１３が接合されている。つまり、前記フラップ１１，１１の先端部内面および前記股下部分６の先端部外面に支持体１２および１３からなる係脱自在の面ファスナーが設けられている。
【０００８】
上記構成のベビー用肌着１を乳児１４に着せるときは、先ず前記股下部分６でおしめ１５の上から覆い、前記フラップ１１，１１の先端部内面の支持体１２の鉤部を股下部分６の先端部外面の支持体１３表面のループ部に係合させ、かかる状態で下前身頃３を結び紐７，８により閉じ、続いて上前身頃４を結び紐９，１０により閉じれば良い。上記構成のベビー用肌着１は結び紐７，８および９，１０の長さに余裕を持たせ、また表面のループ部を備えた支持体１３の面積を大きくすることにより乳児の成長に対応させることができる。
【０００９】
ところで、上記実施の形態ではおしめ１５の上から覆う股下部分６を閉じた状態とするためにフラップ１１，１１の先端部内面の支持体１２と股下部分６の先端部外面の支持体１３とにより構成される面ファスナーを設けたが、面ファスナー以外に、フラップ１１，１１の先端部側に釦を設けるとともに、股下部分６の先端部側に複数の釦孔を設けたり、あるいはフラップ１１，１１の先端部側と股下部分６の先端部側複数箇所に互いに係脱自在なスナップを設けることも可能である。
【００１０】
【発明の効果】
以上のように本発明のベビー用肌着は、後身頃と、この後身頃の右側に繋がる下前身頃と、同じくこの後身頃の左側に繋がる上前身頃と、左右の両袖部分とで構成した短肌着部の後身頃の下端に繋がって股下部分を備えていることにより、短肌着とオーバーパンツが一体化したベビー用肌着を提供することができ、短肌着とオーバーパンツをそれぞれ用意していた場合に比べて取り扱いの手間が省け、狭い保管スペースであっても効率良く保管できるようになる。
【図面の簡単な説明】
【図１】本発明の一実施の形態におけるベビー用肌着の展開図である。
【図２】同股下部分でおしめの上から覆った状態を示す斜視図である。
【図３】同下前身頃の結び紐を結び終えた状態を示す斜視図である。
【図４】同上前身頃の結び紐を結び終えた状態を示す斜視図である。
【符号の説明】
１          ベビー用肌着
２          後身頃
３          下前身頃
４          上前身頃
５          袖部分
６          股下部分
７，８      結び紐
９，１０    結び紐
１１          フラップ
１２，１３    支持体
【図１】
2004256976.tif 000003
【図２】
2004256976.tif 000004
【図３】
2004256976.tif 000005
【図４】
2004256976.tif 000006